【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有する画像形成方法において、
該像加熱部材は、外部加熱手段により最表層表面から加熱され、
該像加熱部材は、最表層として厚さ５μｍ以上２００μｍ以下の離型層を有しており、その下層として蓄熱層を有し、更にその下層として弾性層を有するローラであり、
該像加熱部材は、熱伝導率５．０Ｗ／ｍＫ以上の熱伝導フィラーを含有し、該熱伝導フィラーはＡｌ及び／又はＺｎ化合物であり、
該像加熱部材の表面をＥＰＭＡ（電子線マイクロアナライザー）により測定した際の該熱伝導フィラーに由来するＡｌ及び／又はＺｎ元素の存在割合が、ＥＰＭＡで検出される全元素量に対して０．１０質量％以上３．００質量％以下であり、
該蓄熱層の単位面積あたりの熱容量が１００Ｊ／ｍ2Ｋ以上６００Ｊ／ｍ2Ｋ以下であり、
該トナーが、結着樹脂、着色剤及びワックス成分を含有するトナー粒子と、無機微粉体とを有するトナーであって、
該トナーの個数平均粒径Ｄ1が、３．００μｍ以上８．００μｍ以下であり、Ｄ1−０．２０μｍ≦Ｄ≦Ｄ1＋０．２０μｍを満たす粒子径Ｄ（μｍ）を有するトナーの１粒子に対する微小圧縮試験において、トナーの１粒子に負荷速度９．８×１０-5Ｎ／ｓｅｃで９．８×１０-4Ｎまで荷重を負荷した際の荷重２．０×１０-4Ｎ時の粒子の変位量をＸ20（μｍ）、粒子の最大変位量をＸ100（μｍ）としたとき、下記式（１）及び（２）を満たすことを特徴とする画像形成方法。
（１）０．１００≦Ｘ100／Ｄ≦０．９００
（２）０．０１０≦Ｘ20／Ｄ≦０．０８０
【請求項２】
該トナーに対する微小圧縮試験において、トナーの１粒子に負荷速度９．８×１０-5Ｎ／ｓｅｃで９．８×１０-4Ｎまで荷重を負荷したとき、荷重−変位曲線が屈曲点を有し、該屈曲点は、トナーが荷重２．０×１０-4Ｎ以上８．５×１０-4Ｎ以下を受けたときに生じるものであることを特徴とする請求項１に記載の画像形成方法。
【請求項３】
該トナーの変位量Ｘ100（μｍ）及びＸ20（μｍ）が、
０．４００≦Ｘ100／Ｄ≦０．８５０
０．０１５≦Ｘ20／Ｄ≦０．０６０
を満たすことを特徴とする請求項１又は２に記載の画像形成方法。
【請求項４】
該トナーが、フローテスターによる測定において１００℃の粘度が、１５０００Ｐａ・ｓ以上６５０００Ｐａ・ｓ以下であることを特徴とする請求項１乃至３のいずれかに記載の画像形成方法。
【請求項５】
該トナーのテトラヒドロフラン（ＴＨＦ）可溶分のゲルパーミエーションクロマトグラフィー（ＧＰＣ）により測定されるメインピークの分子量（Ｍ１）が１０，０００乃至８０，０００であり、
該分子量分布のチャートにおいてメインピークの分子量（Ｍ１）の高さをＨ（Ｍ１）、分子量４，０００の高さをＨ（４，０００）としたとき、
Ｈ（４，０００）：Ｈ（Ｍ１）＝（０．１００乃至０．９５０）：１．００
を満足することを特徴とする請求項１乃至１３のいずれかに記載の画像形成方法。
【請求項６】
該像加熱部材の表面粗さＲｚが１．０μｍ以上１０．０μｍ以下であることを特徴とする請求項１乃至５のいずれかに記載の画像形成方法。
【請求項７】
該像加熱部材の蓄熱層の中に熱伝導フィラーが１０質量％以上５０質量％以下で含有されることを特徴とする請求項１乃至６のいずれかに記載の画像形成方法。
【請求項８】
該像加熱部材のマイクロ硬度が３０°以上６８°以下であることを特徴とする請求項１乃至７のいずれかに記載の画像形成方法。
【請求項９】
該弾性層は熱伝導率が０．１５Ｗ／ｍＫ以下であることを特徴とする請求項１乃至８のいずれかに記載の画像形成方法。
【請求項１０】
記録材上に形成されているトナー画像を加圧部材と回転可能な像加熱部材とで形成されるニップ部を通過させることにより加熱加圧定着する定着方法において、
該像加熱部材は、外部加熱手段により最表層表面から加熱され、
該像加熱部材は、最表層として厚さ５μｍ以上２００μｍ以下の離型層を有しており、その下層として蓄熱層を有し、更にその下層として弾性層を有するローラであり、
該像加熱部材は、熱伝導率５．０Ｗ／ｍＫ以上の熱伝導フィラーを含有し、該熱伝導フィラーはＡｌ及び／又はＺｎ化合物であり、
該像加熱部材の表面をＥＰＭＡ（電子線マイクロアナライザー）により測定した際の該熱伝導フィラーに由来するＡｌ及び／又はＺｎ元素の存在割合が、ＥＰＭＡで検出される全元素量に対して０．１０質量％以上３．００質量％以下であり、
該蓄熱層の単位面積あたりの熱容量が１００Ｊ／ｍ2Ｋ以上６００Ｊ／ｍ2Ｋ以下であり、
該トナーが、結着樹脂、着色剤及びワックス成分を含有するトナー粒子と、無機微粉体とを有するトナーであって、
該トナーの個数平均粒径Ｄ1が、３．００μｍ以上８．００μｍ以下であり、Ｄ1−０．２０μｍ≦Ｄ≦Ｄ1＋０．２０μｍを満たす粒子径Ｄ（μｍ）を有するトナーの１粒子に対する微小圧縮試験において、トナーの１粒子に負荷速度９．８×１０-5Ｎ／ｓｅｃで９．８×１０-4Ｎまで荷重を負荷した際の荷重２．０×１０-4Ｎ時の粒子の変位量をＸ20（μｍ）、粒子の最大変位量をＸ100（μｍ）としたとき、下記式（１）及び（２）を満たすことを特徴とする定着方法。
（１）０．１００≦Ｘ100／Ｄ≦０．９００
（２）０．０１０≦Ｘ20／Ｄ≦０．０８０
【請求項１１】
静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有しており、
該像加熱部材は、外部加熱手段により最表層表面から加熱され、
該像加熱部材は、最表層として厚さ５μｍ以上２００μｍ以下の離型層を有しており、その下層として蓄熱層を有し、更にその下層として弾性層を有するローラであり、
該像加熱部材は、熱伝導率５．０Ｗ／ｍＫ以上の熱伝導フィラーを含有し、該熱伝導フィラーはＡｌ及び／又はＺｎ化合物であり、
該像加熱部材の表面をＥＰＭＡ（電子線マイクロアナライザー）により測定した際の該熱伝導フィラーに由来するＡｌ及び／又はＺｎ元素の存在割合が、ＥＰＭＡで検出される全元素量に対して０．１０質量％以上３．００質量％以下であり、
該蓄熱層の単位面積あたりの熱容量が１００Ｊ／ｍ2Ｋ以上６００Ｊ／ｍ2Ｋ以下である画像形成方法に適用されるトナーであって、
該トナーが、結着樹脂、着色剤及びワックス成分を含有するトナー粒子と、無機微粉体とを有し、
該トナーの個数平均粒径Ｄ1が、３．００μｍ以上８．００μｍ以下であり、Ｄ1−０．２０μｍ≦Ｄ≦Ｄ1＋０．２０μｍを満たす粒子径Ｄ（μｍ）を有するトナーの１粒子に対する微小圧縮試験において、トナーの１粒子に負荷速度９．８×１０-5Ｎ／ｓｅｃで９．８×１０-4Ｎまで荷重を負荷した際の荷重２．０×１０-4Ｎ時の粒子の変位量をＸ20（μｍ）、粒子の最大変位量をＸ100（μｍ）としたとき、下記式（１）及び（２）を満たすことを特徴とするトナー。
（１）０．１００≦Ｘ100／Ｄ≦０．９００
（２）０．０１０≦Ｘ20／Ｄ≦０．０８０
【手続補正２】
【補正対象書類名】明細書
【補正対象項目名】００２３
【補正方法】変更
【補正の内容】
【００２３】
〔１〕静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有する画像形成方法において、
該像加熱部材は、外部加熱手段により最表層表面から加熱され、
該像加熱部材は、最表層として厚さ５μｍ以上２００μｍ以下の離型層を有しており、その下層として蓄熱層を有し、更にその下層として弾性層を有するローラであり、
該像加熱部材は、熱伝導率５．０Ｗ／ｍＫ以上の熱伝導フィラーを含有し、該熱伝導フィラーはＡｌ及び／又はＺｎ化合物であり、
該像加熱部材の表面をＥＰＭＡ（電子線マイクロアナライザー）により測定した際の該熱伝導フィラーに由来するＡｌ及び／又はＺｎ元素の存在割合が、ＥＰＭＡで検出される全元素量に対して０．１０質量％以上３．００質量％以下であり、
該蓄熱層の単位面積あたりの熱容量が１００Ｊ／ｍ2Ｋ以上６００Ｊ／ｍ2Ｋ以下であり、
該トナーが、結着樹脂、着色剤及びワックス成分を含有するトナー粒子と、無機微粉体とを有するトナーであって、
該トナーの個数平均粒径Ｄ1が、３．００μｍ以上８．００μｍ以下であり、Ｄ1−０．２０μｍ≦Ｄ≦Ｄ1＋０．２０μｍを満たす粒子径Ｄ（μｍ）を有するトナーの１粒子に対する微小圧縮試験において、トナーの１粒子に負荷速度９．８×１０-5Ｎ／ｓｅｃで９．８×１０-4Ｎまで荷重を負荷した際の荷重２．０×１０-4Ｎ時の粒子の変位量をＸ20（μｍ）、粒子の最大変位量をＸ100（μｍ）としたとき、下記式（１）及び（２）を満たすことを特徴とする画像形成方法。
（１）０．１００≦Ｘ100／Ｄ≦０．９００
（２）０．０１０≦Ｘ20／Ｄ≦０．０８０
【手続補正３】
【補正対象書類名】明細書
【補正対象項目名】００２４
【補正方法】変更
【補正の内容】
【００２４】
〔２〕該トナーに対する微小圧縮試験において、トナーの１粒子に負荷速度９．８×１０-5Ｎ／ｓｅｃで９．８×１０-4Ｎまで荷重を負荷したとき、荷重−変位曲線が屈曲点を有し、該屈曲点は、トナーが荷重２．０×１０-4Ｎ以上８．５×１０-4Ｎ以下を受けたときに生じるものであることを特徴とする〔１〕に記載の画像形成方法。
【手続補正４】
【補正対象書類名】明細書
【補正対象項目名】００２５
【補正方法】変更
【補正の内容】
【００２５】
〔３〕該トナーの変位量Ｘ100（μｍ）及びＸ20（μｍ）が、
０．４００≦Ｘ100／Ｄ≦０．８５０、０．０１５≦Ｘ20／Ｄ≦０．０６０
を満たすことを特徴とする〔１〕又は〔２〕に記載の画像形成方法。
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】変更
【補正の内容】
【００３２】
〔６〕該像加熱部材の表面粗さＲｚが１．０μｍ以上１０．０μｍ以下であることを特徴とする〔１〕乃至〔５〕記載の画像形成方法。
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】変更
【補正の内容】
【００３４】
〔７〕該像加熱部材の蓄熱層の中に熱伝導フィラーが１０質量％以上５０質量％以下含有されることを特徴とする〔１〕乃至〔６〕記載の画像形成方法。
【手続補正１２】
【補正対象書類名】明細書
【補正対象項目名】００３５
【補正方法】変更
【補正の内容】
【００３５】
〔８〕該像加熱部材のマイクロ硬度が３０°以上６８°以下であることを特徴とする〔１〕乃至〔７〕記載の画像形成方法。
【手続補正１３】
【補正対象書類名】明細書
【補正対象項目名】００３６
【補正方法】変更
【補正の内容】
【００３６】
〔９〕該弾性層は熱伝導率が０．１５Ｗ／ｍＫ以下であることを特徴とする〔１〕乃至〔８〕記載の画像形成方法。
【手続補正１４】
【補正対象書類名】明細書
【補正対象項目名】００３７
【補正方法】変更
【補正の内容】
【００３７】
〔１０〕記録材上に形成されているトナー画像を加圧部材と回転可能な像加熱部材とで形成されるニップ部を通過させることにより加熱加圧定着する定着方法において、
該像加熱部材は、外部加熱手段により最表層表面から加熱され、
該像加熱部材は、最表層として厚さ５μｍ以上２００μｍ以下の離型層を有しており、その下層として蓄熱層を有し、更にその下層として弾性層を有するローラであり、
該像加熱部材は、熱伝導率５．０Ｗ／ｍＫ以上の熱伝導フィラーを含有し、該熱伝導フィラーはＡｌ及び／又はＺｎ化合物であり、
該像加熱部材の表面をＥＰＭＡ（電子線マイクロアナライザー）により測定した際の該熱伝導フィラーに由来するＡｌ及び／又はＺｎ元素の存在割合が、ＥＰＭＡで検出される全元素量に対して０．１０質量％以上３．００質量％以下であり、
該蓄熱層の単位面積あたりの熱容量が１００Ｊ／ｍ2Ｋ以上６００Ｊ／ｍ2Ｋ以下であり、
該トナーが、結着樹脂、着色剤及びワックス成分を含有するトナー粒子と、無機微粉体とを有するトナーであって、
該トナーの個数平均粒径Ｄ1が、３．００μｍ以上８．００μｍ以下であり、Ｄ1−０．２０μｍ≦Ｄ≦Ｄ1＋０．２０μｍを満たす粒子径Ｄ（μｍ）を有するトナーの１粒子に対する微小圧縮試験において、トナーの１粒子に負荷速度９．８×１０-5Ｎ／ｓｅｃで９．８×１０-4Ｎまで荷重を負荷した際の荷重２．０×１０-4Ｎ時の粒子の変位量をＸ20（μｍ）、粒子の最大変位量をＸ100（μｍ）としたとき、下記式（１）及び（２）を満たすことを特徴とする定着方法。
（１）０．１００≦Ｘ100／Ｄ≦０．９００
（２）０．０１０≦Ｘ20／Ｄ≦０．０８０
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】変更
【補正の内容】
【００４６】
〔１１〕静電潜像担持体を帯電手段により帯電する帯電工程、該帯電された静電潜像担持体を露光して静電潜像を形成する露光工程、該静電潜像をトナーで現像してトナー像を形成する現像工程、該トナー像を中間転写体を介して、又は介さずに記録材へ転写する転写工程、該トナー像を担持する記録材を加圧部材と回転可能な像加熱部材とで形成されるニップ部を通過させることにより加熱加圧定着する定着工程を有しており、
該像加熱部材は、外部加熱手段により最表層表面から加熱され、
該像加熱部材は、最表層として厚さ５μｍ以上２００μｍ以下の離型層を有しており、その下層として蓄熱層を有し、更にその下層として弾性層を有するローラであり、
該像加熱部材は、熱伝導率５．０Ｗ／ｍＫ以上の熱伝導フィラーを含有し、該熱伝導フィラーはＡｌ及び／又はＺｎ化合物であり、
該像加熱部材の表面をＥＰＭＡ（電子線マイクロアナライザー）により測定した際の該熱伝導フィラーに由来するＡｌ及び／又はＺｎ元素の存在割合が、ＥＰＭＡで検出される全元素量に対して０．１０質量％以上３．００質量％以下であり、
該蓄熱層の単位面積あたりの熱容量が１００Ｊ／ｍ2Ｋ以上６００Ｊ／ｍ2Ｋ以下である画像形成方法に適用されるトナーであって、
該トナーが、結着樹脂、着色剤及びワックス成分を含有するトナー粒子と、無機微粉体とを有し、
該トナーの個数平均粒径Ｄ1が、３．００μｍ以上８．００μｍ以下であり、Ｄ1−０．２０μｍ≦Ｄ≦Ｄ1＋０．２０μｍを満たす粒子径Ｄ（μｍ）を有するトナーの１粒子に対する微小圧縮試験において、トナーの１粒子に負荷速度９．８×１０-5Ｎ／ｓｅｃで９．８×１０-4Ｎまで荷重を負荷した際の荷重２．０×１０-4Ｎ時の粒子の変位量をＸ20（μｍ）、粒子の最大変位量をＸ100（μｍ）としたとき、下記式（１）及び（２）を満たすことを特徴とするトナー。
（１）０．１００≦Ｘ100／Ｄ≦０．９００
（２）０．０１０≦Ｘ20／Ｄ≦０．０８０
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】